(57)【要約】【課題】レンズにエアーを吹き付けたときにレンズ鏡筒から外れてしまうことを防止できる絞り板を提供する。【解決手段】投写レンズ１０の組み立て時には、先ず、収束レンズ１３をレンズ鏡筒１１に固定する。この後、絞り板１４の段差１１ａから突出するカシメピン１１ｂをカシメ孔１４ｂに挿入して熱カシメを行い、絞り板１４をレンズ鏡筒１１に固定する。絞り板１４の固定後、絞り開口１４ａを介して絞り板１４の前面１４ｅ側から収束レンズ１３に向けてエアーを吹き付けて異物を除去する。収束レンズ１３に吹き付けたエアーは、エアー逃がし用切り欠き１４ｄから絞り板１４の前面１４ｅ側に逃げる。このため、絞り板１４の熱カシメ部分に圧力が集中してカシメピン１１ｂが破損することを防止できる。【選択図】図２
2010185940.tif 000002
【特許請求の範囲】
【請求項１】
略中央部に形成された絞り開口を有し、レンズ鏡筒内のレンズと対面するように前記レンズ鏡筒に取り付けられる絞り板において、
前記絞り開口の周囲に、前記絞り開口を介して前記レンズに吹き付けたエアーを逃がすエアー逃がし用開口又はその端縁を切り欠いたエアー逃がし用切り欠きの少なくともいずれか一方を形成したことを特徴とする絞り板。
【請求項２】
前記レンズ鏡筒は、その内面から突出する段差と、前記段差から前記中心軸の軸方向と平行に延びるカシメピンとを備え、
前記絞り開口の周囲に形成されたカシメ孔に前記カシメピンを挿通して熱カシメを行うことにより、前記レンズ鏡筒に固定されることを特徴とする請求項１記載の絞り板。
【請求項３】
前記段差に予備用の前記カシメピンを形成し、
前記段差に固定された状態では、予備用の前記カシメピンが前記エアー逃がし用開口又は前記エアー逃がし用切り欠きから突出することを特徴とする請求項２記載の絞り板。
【発明の詳細な説明】
【技術分野】
【０００１】
本発明は、プロジェクタの投写レンズなどのレンズ鏡筒内に固定される絞り板に関するものである。
【背景技術】
【０００２】
プロジェクタは、画像表示部からの画像光を投写レンズに入射させてスクリーンに画像を投影する。投写レンズのレンズ鏡筒内には、画像表示部からの画像光が入射する収束レンズや、収束レンズに入射した画像光が通過する絞り開口を有する絞り板、絞り開口を通過した光を結像させる結像レンズなどが収納されている。近年、プロジェクタの製造コストを低減するための工夫として、各レンズがプラスチックで形成され、また、絞り板は厚みが０．５ｍｍ程度の薄い樹脂（フイルム）で形成されている。
【０００３】
投写レンズの組み立ては、先ず、収束レンズを挿入し、その後に絞り板が取り付けられる。投写レンズのレンズ鏡筒の内面には、その中心軸に向けて突出する段差が形成されている。絞り板は、レンズ鏡筒の段差にその一方の面を押し付けるとともに、段差からレンズ鏡筒の中心軸の軸方向と平行に延びるカシメピンにそのカシメ孔を挿入して熱カシメすることによりレンズ鏡筒に固定される。ここで、収束レンズがプラスチックで形成されていると、熱カシメを行ったときに塵や埃などの異物が静電気によって収束レンズの表面に付着しやすくなる。このため、絞り板をレンズ鏡筒に固定した後に、絞り開口を介して収束レンズにエアーを吹き付けて、収束レンズの表面に付着した異物を除去することが一般的である。
【先行技術文献】
【特許文献】
【０００４】
【特許文献１】特開２００７−２１９０４９号公報
【発明の概要】
【発明が解決しようとする課題】
【０００５】
しかし、収束レンズにエアーを吹き付けると、吹き付けたエアーの流れが変化して絞り板に向けてエアーが吹き付けられる。そして、上述したように、絞り板は薄い樹脂で形成されているため、絞り板にエアーが吹き付けられたときの圧力は熱カシメ部分に集中してしまい、この圧力によってカシメピンが破損してしまうことがあった。カシメピンが破損してしまうと、絞り板がレンズ鏡筒から外れてしまい、再度、熱カシメによって絞り板を固定しなければならないため、投写レンズの製造効率が低下していた。
【０００６】
本発明は上記事情を考慮してなされたもので、その目的は、レンズにエアーを吹き付けたときにレンズ鏡筒から外れてしまうことを防止できる絞り板を提供することにある。
【課題を解決するための手段】
【０００７】
上記目的を達成するにあたり、本発明は、略中央部に形成された絞り開口を有し、レンズ鏡筒内のレンズと対面するように前記レンズ鏡筒に取り付けられる絞り板において、
前記絞り開口の周囲に、前記絞り開口を介して前記レンズに吹き付けたエアーを逃がすエアー逃がし用開口又はその端縁を切り欠いたエアー逃がし用切り欠きの少なくともいずれか一方を形成したものである。
【０００８】
なお、前記レンズ鏡筒は、その内面から突出する段差と、前記段差から前記中心軸の軸方向と平行に延びるカシメピンとを備え、前記絞り開口の周囲に形成されたカシメ孔に前記カシメピンを挿通して熱カシメを行うことにより、前記レンズ鏡筒に固定されることが好ましい。
【０００９】
また、前記段差に予備用の前記カシメピンを形成し、前記段差に固定された状態では、予備用の前記カシメピンが前記エアー逃がし用開口又は前記エアー逃がし用切り欠きから突出することが好ましい。
【発明の効果】
【００１０】
請求項１記載の発明によれば、レンズに吹き付けたエアーを逃がすことが可能になるので、レンズにエアーを吹き付けたときに絞り板がレンズ鏡筒から外れてしまうことを防止できる。なお、絞り板の重量が軽くなるので、絞り板を使用した製品重量を軽くすることも可能になる。
【００１１】
請求項２記載の発明によれば、熱カシメ部分に圧力が集中してカシメピンや絞り板が破損することを防止することが可能になるので、レンズにエアーを吹き付けたときに絞り板がレンズ鏡筒から外れてしまうことを防止できる。
【００１２】
請求項３記載の発明によれば、エアーによってカシメピンが破損してしまってもレンズ鏡筒を交換せずに再利用できるので、レンズ鏡筒を交換することに起因する製造コストの上昇を防止できる。
【図面の簡単な説明】
【００１３】
【図１】本発明を用いたレンズ鏡筒の概略的な縦断面図である。
【図２】絞り板の構成を示す説明図である。
【図３】矩形のエアー逃がし用開口を形成した絞り板の構成を示す説明図である。
【図４】円形のエアー逃がし用開口を形成した絞り板の構成を示す説明図である。
【図５】矩形の開口をマトリクス状に配置したエアー逃がし用開口を形成した絞り板の構成を示す説明図である。
【発明を実施するための形態】
【００１４】
図１に示すように、プロジェクタ用の投写レンズ１０はレンズ鏡筒１１を備えている。レンズ鏡筒１１は、プロジェクタ筐体１２の前面にネジ止めされている。レンズ鏡筒１１の内部には、収束レンズ１３、絞り板１４、結像レンズ１５、フォーカスレンズ１６が保持されている。これらの各部材は光軸Ｐ（中心軸）に沿って並べて配置されている。絞り板１４は、その厚みが０．５ｍｍの樹脂によって弾性を有するシート状に形成されている。また、収束レンズ１３や結像レンズ１５、フォーカスレンズ１６はプラスチックで形成されている。なお、各レンズは、１ブロック化して図示してあるが、これらは単レンズ又は複数枚レンズのいずれであってもよい。
【００１５】
プロジェクタ筐体１２の内部には、簡略的に示してあるが画像表示部１７が組み込まれ、フルカラーの画像光をレンズ鏡筒１１に組み込まれた投写光学系に入射させる。画像表示部１７は、例えば光源からの白色光をダイクロイックミラーで分割して得たＲ，Ｇ，Ｂの基本色光で照明される３枚の液晶パネルと、これらの液晶パネルからの画像を合成するクロスダイクロイックプリズムから構成されている。
【００１６】
画像表示部１７からの画像光（光）は収束レンズ（レンズ）１３に入射し、絞り板１４の略中央部に形成された絞り開口１４ａを通過する。絞り開口１４ａを通過した画像光は結像レンズ１５で結像され、フォーカスレンズ１６を介して図示しないスクリーンに画像が投影される。絞り開口１４ａを介して画像光を結像レンズ１５に入射させることにより、スクリーン上に投影した画像のフレアやゴーストを防止している。
【００１７】
レンズ鏡筒１１の内面には、光軸Ｐに向けて突出する段差１１ａが全周にわたって形成されている。段差１１ａには、光軸Ｐの軸方向と平行に延びる円柱状のカシメピン１１ｂが突接されている。カシメピン１１ｂは、絞り板１４の一方の面であって収束レンズ１３と対面する後面１４ｃに向けて突出している。また、カシメピン１１ｂは、レンズ鏡筒１１の周方向に１２０度間隔で配置した３本が１組となっており、レンズ鏡筒１１の周方向の位置を異ならせて２組の計６本形成されている。絞り板１４の絞り開口１４ａの周囲には、カシメピン１１ｂを挿入するカシメ孔１４ｂがその周方向に１２０度間隔で３箇所に形成されている。絞り板１４は、３つのカシメ孔１４ｂにいずれか一組のカシメピン１１ｂを挿入するとともに、その一方の面であって収束レンズ１３と対面する後面１４ｃを押し当て、カシメピン１１ｂを熱カシメすることにより、レンズ鏡筒１１に固定されている。他方、絞り板１４の固定に使用されていない１組のカシメピン１１ｂは予備用となっている。図中では、熱カシメしたカシメピン１１ｂはその先端が潰れて絞り板１４に溶着した状態を示し、予備用のカシメピン１１ｂは熱カシメ前の円柱状の状態を示している。なお、カシメピン１１ｂの数及びその組数は適宜数設けてよい。
【００１８】
図２に示すように、絞り板１４には、その端縁を切り欠いたエアー逃がし用切り欠き１４ｄが３箇所に形成されている。エアー逃がし用切り欠き１４ｄは、カシメ孔１４ｂと同様に絞り板１４の周方向に１２０度間隔で配置されており、各々がカシメ孔１４ｂの間に配置されている。また、エアー逃がし用切り欠き１４ｄは、全領域が段差１１ａに遮られることのない深さに切り欠かれている。このため、エアー逃がし用切り欠き１４ｄを介して、絞り板１４の後面１４ｃ側と、その他方の面である前面１４ｅ側とが連通している。絞り板１４をレンズ鏡筒１１に固定した状態では予備用のカシメピン１１ｂはエアー逃がし用切り欠き１４ｄから絞り板の前面１４ｅ側に突出してエアー逃がし用切り欠き１４ｄを介して逃がされている。
【００１９】
次に、上記構成による作用について説明する。
【００２０】
投写レンズ１０の組み立て時には、先ず、収束レンズ１３が絞り板１４の後面１４ｃ側（図１の画像表示部１７側）からレンズ鏡筒１１に挿入されて固定される。収束レンズ１３の固定後、絞り板１４が反対側からレンズ鏡筒１１内に挿入されるとともに、段差１１ａから突出する２組のカシメピン１１ｂのうちいずれか１組に絞り板１４のカシメ孔１４ｂが挿通される。この後、熱カシメが行われて絞り板１４がレンズ鏡筒１１に固定される。収束レンズ１３はプラスチックで形成されているため、熱カシメを行ったときに静電気によって塵や埃などの異物がその表面に付着しやすい。このため、絞り板１４の固定後、絞り開口１４ａを介してその前面１４ｅ側から収束レンズ１３に向けてエアーが吹き付けられ、収束レンズ１３の表面に付着した異物が除去される。収束レンズ１３に吹き付けたエアーは、収束レンズ１３の表面でその流れが変化して絞り板１４の後面１４ｃに向けて吹き付けられる。絞り板１４の後面１４ｃに吹き付けられたエアーは、エアー逃がし用切り欠き１４ｄから前面１４ｅ側に逃げる。このため、絞り板１４の熱カシメ部分に圧力が集中してカシメピン１１ｂが破損することを防止できる。仮に、絞り板１４の固定に使用されている１組のカシメピン１１ｂが破損したときには、予備用の１組のカシメピン１１ｂを絞り板１４の固定に使用できるので、レンズ鏡筒１１を交換することなく使用できる。
【００２１】
以上のように、収束レンズ１３に吹き付けたエアーをエアー逃がし用切り欠き１４ｄから逃がすことにより、カシメピン１１ｂの破損を防止できることに加え、レンズ鏡筒１１は改造を施すことなく従来のものを使用できるので、これに改造を施した場合に比べて製造コストの上昇を抑えることも可能になる。また、エアー逃がし用切り欠き１４ｄを形成することによって絞り板１４の重量を軽量化できるので、投写レンズ１０の重量を軽量化できる。
【００２２】
上記実施形態では、エアー逃がし用切り欠き１４ｄを形成したがこれに変えてエアー逃がし用開口を形成する、あるいは、エアー逃がし用切り欠きとエアー逃がし用開口との両方を形成してもよい。また、エアー逃がし用切り欠きあるいはエアー逃がし用開口の数は適宜数にしてよい。
【００２３】
具体的には、図３に示すように、例えば、絞り板２０の絞り開口２０ａの周囲に、絞り板２０の周方向に延びる矩形状のエアー逃がし用開口２０ｂを３箇所に形成する。エアー逃がし用開口２０ｂは、レンズ鏡筒１１の段差１１ａの内側に配置され、また、各々は絞り板２０の周方向に１２０度間隔で配置されている。エアー逃がし用開口２０ｂにおいても収束レンズ１３に吹き付けたエアーを逃がすことができる。
【００２４】
また、図４に示すように、例えば、絞り板３０の絞り開口３０ａの周囲に、円形のエアー逃がし用開口３０ｂを３箇所に形成する。エアー逃がし用開口３０ｂは、レンズ鏡筒１１の段差１１ａの内側に配置され、また、各々は絞り板３０の周方向に１２０度間隔で配置されている。エアー逃がし用開口３０ｂにおいても収束レンズ１３に吹き付けたエアーを逃がすことができる。
【００２５】
さらに、図５に示すように、例えば、絞り板４０の絞り開口４０ａの周囲に、絞り板４０の周方向に延びる矩形状の開口をマトリクス状に配置してメッシュ状にしたエアー逃がし用開口４０ｂを３箇所に形成する。エアー逃がし用開口４０ｂは、レンズ鏡筒１１の段差１１ａの内側に配置され、また、各々は絞り板４０の周方向に１２０度間隔で配置されている。エアー逃がし用開口４０ｂにおいても収束レンズ１３に吹き付けたエアーを逃がすことができる。
【００２６】
上記実施形態では、熱カシメによって絞り板をレンズ鏡筒に固定したが、例えば、周面の一部に切れ目を入れるとともに切れ目を入れた部分を一面側に折り曲げた金属板をネジ止めによってレンズ鏡筒に取り付け、金属板の折り曲げ部分に絞り板のカシメ開口を挿入してカシメを行う、あるいは、接着によって絞り板をレンズ鏡筒に固定するなど、絞り板をレンズ鏡筒に固定する方法は適宜の方法でよい。
【００２７】
上記実施形態では、プロジェクタに用いる投写レンズのレンズ鏡筒に本発明を適用したが例えばカメラなどプロジェクタ以外のレンズ鏡筒に本発明を適用してもよい。また、さらに、エアーを吹き付けるレンズは収束レンズ１３に限らず、結像レンズやオートフォーカスレンズなど他のレンズでもよい。
【符号の説明】
【００２８】
１１  レンズ鏡筒
１１ａ  段差
１１ｂ  カシメピン
１３  収束レンズ（レンズ）
１４，２０，３０，４０  絞り板
１４ａ，２０ａ，３０ａ，４０ａ  絞り開口
１４ｃ  後面
１４ｄ  エアー逃がし用切り欠き
１４ｅ  前面
２０ｂ，３０ｂ，４０ｂ  エアー逃がし用開口
【図１】
2010185940.tif 000003
【図２】
2010185940.tif 000004
【図３】
2010185940.tif 000005
【図４】
2010185940.tif 000006
【図５】
2010185940.tif 000007